(57)【要約】【課題】防水性能を有する蓄電池のガス放出構造であって、製品が完成したままの状態で防水性能を簡単に検査することができる蓄電池のガス放出構造を提供する。【解決手段】蓄電池のケース１の上面１ａに通気孔２を設け、前記通気孔２にゴム栓３を嵌め、前記ゴム栓３を前記ケース１に接着したシート４で覆う蓄電池のガス放出構造において、前記ゴム栓３は前記通気孔２に通気可能状態に嵌まり込む凸部と前記凸部の基端全周から周辺に延びるフランジからなり、蓄電池のケースの外面に水圧が加わると前記フランジが前記ケースの上面に密着してフランジとケース上面との間の水流が阻止されるように構成した。【選択図】図１
2010055983.tif 000002
【特許請求の範囲】
【請求項１】
蓄電池のケースの上面に通気孔を設け、前記通気孔にゴム栓を嵌め、前記ゴム栓を前記ケースに接着したシートで覆う蓄電池のガス放出構造において、前記ゴム栓は前記通気孔に通気可能状態に嵌まり込む凸部と前記凸部の基端全周から周辺に延びるフランジからなり、蓄電池のケースの外面に水圧が加わると前記フランジが前記ケースの上面に密着してフランジとケース上面との間の水流が阻止されるように構成した蓄電池のガス放出構造。
【請求項２】
前記シートは前記通気孔の周囲で断続して接着されている請求項１の蓄電池のガス放出構造。
【請求項３】
前記シートとして通気性シートまたは穴の設けられたシートが用いられる請求項１の蓄電池のガス放出構造。
【発明の詳細な説明】
【技術分野】
【０００１】
この発明は蓄電池に係わり、特に、防水型蓄電池のガス放出構造に関する。
【背景技術】
【０００２】
Ｎｉ−ＭＨ（Metal Hydride ）電池は高電流で充電すると、水素ガスが発生する。そして、電池のケースを防水構造とすると、危険であるために、ケースにガス放出構造が形成されている。
【０００３】
そのような従来の蓄電池のガス放出構造の例を図６に示す。図に示すケース１の上面１ａに通気孔２が設けられている。そして、上面１ａに貼付けられた通気性シート１０により通気孔２が塞がれている。通気性シート１０は気体を通すが、水を通さないもので、ケース１内で発生したガスは通気孔２から放出されるが、ケース１の防水性能は保たれる。
【０００４】
防水型蓄電池の出荷前には防水性能を検査する。そのとき、密閉容器内に蓄電池を入れて外部から空気圧をかけて、空気の漏れがないかを検査するが、上記の蓄電池のガス放出構造では製品となった状態でこの検査方法を採用することができない。そして、空気漏れの検査を行うために通気孔を塞いで検査することになるが、その方法によると、通気性シート１０がずれた位置に貼られたことによる防水不良の管理を行うことができなかった。
【０００５】
特開２００７−２１３８７３号公報に開示された蓄電池はいわゆる防滴構造のもので、外部から水等の液体が降りかったときに、液体が蓄電池に入るのを防止するが、蓄電池を水中に漬けたときに水が蓄電池に入ることを防止する防水性能を有していない。
【特許文献１】特開２００７−２１３８７３号公報、段落００１２〜段落００２６、図１〜図３
【発明の開示】
【発明が解決しようとする課題】
【０００６】
この発明は上記した点に鑑みてなされたものであって、その目的とするところは、防水性能を有する蓄電池のガス放出構造であって、製品が完成したままの状態で防水性能を簡単に検査することができる蓄電池のガス放出構造を提供することにある。
【課題を解決するための手段】
【０００７】
この発明の蓄電池のガス放出構造は、蓄電池のケースの上面に通気孔を設け、前記通気孔にゴム栓を嵌め、前記ゴム栓を前記ケースに接着したシートで覆う蓄電池のガス放出構造において、前記ゴム栓は前記通気孔に通気可能状態に嵌まり込む凸部と前記凸部の基端全周から周辺に延びるフランジからなり、蓄電池のケースの外面に水圧が加わると前記フランジが前記ケースの上面に密着してフランジとケース上面との間の水流が阻止されるように構成したものである。
【０００８】
また、前記蓄電池のガス放出構造において、前記シートは前記通気孔の周囲で断続して接着されているものである。
【０００９】
また、同蓄電池のガス放出構造において、前記シートとして通気性シートまたは穴の設けられたシートが用いられるものである。
【発明の効果】
【００１０】
この発明の蓄電池のガス放出構造によれば、製品が完成したままの状態で防水性能を簡単に検査することができる。
【発明を実施するための最良の形態】
【００１１】
以下この発明を実施するための最良の形態を実施例に即して説明する。図１は、この発明の実施例である蓄電池のガス放出構造を示す部分斜視図、図２は図１に示す蓄電池のＡ−Ａ部分断面図、図３は同蓄電池のガス放出構造の作用を説明するための部分断面図、図４は同蓄電池のガス放出構造の他の状態の作用を説明するための部分断面図である。
【００１２】
図１に示すように、Ｎｉ−ＭＨ（Metal Hydride ）電池のケース１の上面１ａには段付きの通気孔２が設けられており、通気孔２にゴム栓３が嵌め込まれる。ゴム栓３は図２に詳しく示すように、円筒形の凸部３ａとその基端全周から周辺に延びるフランジ３ｂで構成されており、フランジ３ｂの下面と通気孔２の段差下面は密接状態となるように滑らかな平面に仕上げられている。そして、フランジ３ｂは圧力により十分に変形する柔軟性を備えている。
【００１３】
ゴム栓３の凸部３ａと通気孔２は内部から気圧が掛かると空気が通過する程度に緩く嵌合しておいる。このように、通気孔２と嵌合したゴム栓３はＰＥＴ（ポリエチレンポリフタレート）シート４で覆われる。すなわち、ＰＥＴシート４の周辺部の部分に付けられた接着剤５によりＰＥＴシート４がゴム栓３を覆うようにケース１の上面１ａに接着される。ＰＥＴシート４の周辺部の一部は接着されていないため、この部分から空気が流通する。
【００１４】
図３に製品となったケース１を水に付けた状態を示している。このときは、図３で図示していないＰＥＴシート４の接着されていない隙間から水がＰＥＴシート４の下に入り、ゴム栓３のフランジ３ｂに矢印で示すように外部から水圧がかかりフランジ３ｂが通気孔２の段差下面に圧接される。そして、フランジ３ｂと通気孔２の段差下面の間から水がケース１に入り込むのが防止されて防水性能が得られる。
【００１５】
図４に電池を高電流で充電する状態を示している。このとき発生する水素によりケース１の圧力が高くなり、発生した水素は矢印で示すように、ゴム栓３のゴム栓の凸部３ａおよびフランジ３ｂと通気孔２の間を通り、さらに、図４で図示していないＰＥＴシート４の接着されていない隙間から外部に放出される。
【００１６】
図５に製品の防水性能を検査する状態を示している。製品となった電池のケース１は密閉構造の検査用容器６に入れられる。そして、検査用容器６内が空気で加圧された状態となり、その圧力の変化が圧力計７で測定される。
【００１７】
圧力に変化がなければ防水性能が良好であると判断される。防水性能不良の場合はケース１内に空気が入り込むため、検査用容器６内の気圧が低下する。このように実施例の蓄電池のガス放出構造では、製品が完成したままの状態で空気圧で防水性能が検査できるので、検査工程が簡素化される。そして、製品となったままの状態で簡単に防水性能の検査が行えるため、製品検査で防水性能不良を見落とすことがない。
【００１８】
実施例は以上のように構成されているが発明はこれに限られず、例えば、ゴム栓３を塞ぐシートとして通気性シートまたは穴の設けられたシートを用いることができる。この場合は通気孔を囲む全周でシートをケース上面に接着してもよい。
【００１９】
また、ゴム栓の凸部を空気を通す溝を設けてもよい。この場合は、ゴム栓の凸部を通気孔にかなり加圧状態として嵌合することができる。
【図面の簡単な説明】
【００２０】
【図１】この発明の実施例である蓄電池のガス放出構造を示す部分斜視図である。
【図２】図１に示す蓄電池のＡ−Ａ部分断面図である。
【図３】同蓄電池のガス放出構造の作用を説明するための部分断面図である。
【図４】同蓄電池のガス放出構造の作用を説明するための部分断面図である。
【図５】蓄電池の防水性能試験装置を示す断面図である。
【図６】従来の蓄電池のガス放出構造を示す斜視図である。
【符号の説明】
【００２１】
１  ケース、１ａ  上面
２  通気孔
３  ゴム栓、３ａ  凸部、３ｂ  フランジ
４  ＰＥＴシート
５  接着剤
６  検査用容器
７  圧力計
１０  通気性シート
【図１】
2010055983.tif 000003
【図２】
2010055983.tif 000004
【図３】
2010055983.tif 000005
【図４】
2010055983.tif 000006
【図５】
2010055983.tif 000007
【図６】
2010055983.tif 000008